(57)【要約】【課題】箱形カットアウトと筒形カットアウトを共用できる課電端子アダプタを提供する。【解決手段】アダプタ１０は、接続金具１１、一対の導電ケース１２・１２、及び、一対の導電刃１３・１３を備える。接続金具１１は、課電端子８の先端部と着脱できる。一対の導電ケース１２・１２は、接続金具１１の外周と一端部が回転自在に連結し、他端部を開閉自在に構成している。一対の導電刃１３・１３は、導電ケース１２の内部に収納され、導電ケース１２・１２の底部から起伏自在に配置されている。対の導電ケース１２・１２を１８０度開いて、一対の導電刃１３・１３を起立させることで、箱形カットアウト４に接続でき、一対の導電ケース１２・１２を閉じて円筒状になった状態では、筒形カットアウト６に接続できる。【選択図】図３
2017032463.tif 000002
【特許請求の範囲】
【請求項１】
箱形カットアウト、又は筒形カットアウトに探査信号を課電して配電線の事故点を探査するために、課電端子の先端部に接続する課電端子アダプタであって、
前記課電端子の先端部と着脱自在な円柱状の接続金具と、
この接続金具の外周と一端部が回転自在に連結し、一端部と反対側の他端部を開閉自在に構成した一対の半円筒状の導電ケースと、
これらの導電ケースの内部に収納され、一対の前記導電ケースの底部から起伏自在に配置された一対の帯板状の導電刃と、を備え、
一対の前記導電ケースを１８０度開いた状態では、所定の間隔を設けて、一対の前記導電刃を起立させることで、一対の前記導電刃を前記箱形カットアウトに設けた第１接続端子及び第２接続端子に接続でき、
一対の前記導電ケースを閉じて円筒状になった状態では、一対の前記導電ケースの他端部を前記筒形カットアウトに設けた第１電極に接続できると共に、前記課電端子の先端部を前記筒形カットアウトに設けた第２電極に接続できる、課電端子アダプタ。
【請求項２】
前記導電刃は、球状部を基端部に備え、
前記導電ケースは、前記球状部を揺動自在に保持する保持室を有する半月体状のブロック体を底部に備える、請求項１記載の課電端子アダプタ。
【請求項３】
一方の前記導電ケースは、他方の前記導電ケースに向かって突出する板状の施錠片を他端部に有し、
他方の前記導電ケースは、前記施錠片を導入すると共に、当該施錠片を挟持するスリット開口を有する、請求項１又は２記載の課電端子アダプタ。
【発明の詳細な説明】
【技術分野】
【０００１】
本発明は、課電端子アダプタに関する。特に、カットアウトに探査信号を課電（印加）して配電線の事故点を探査するために、課電端子の先端部に接続する課電端子アダプタであって、箱形カットアウトと筒形カットアウトに共用できる課電端子アダプタの構造に関する。
【背景技術】
【０００２】
配電線は、電力を送電・配電している。一般に、配電線は、電柱に架設されている。又、電柱は、柱上変圧器を支持している。そして、柱上変圧器は、配電線に印加された高圧の電力を家庭や事業所などで使用する電圧に変圧している。
【０００３】
一般に、柱上変圧器の近傍には、配電線と柱上変圧器を電気的に接続するカットアウト（ヒューズ筒保持器）を配置している。カットアウトは、内部にヒューズ筒を保持している。そして、過負荷運転となる電流が柱上変圧器に流れた場合には、ヒューズ筒の内部のヒューズが遮断（溶断）されて、変圧器の焼損などを防止している。
【０００４】
ところで、配電線に地絡事故などが発生すると、カットアウトからヒューズ筒を取り外し、探査測定器に設けた課電端子からヒューズ筒の接続端子に探査信号となる直流電流を印加して、事故点を探索することが実施されている。この場合、箱形カットアウトに接続できる課電端子アダプタが開示されている（例えば、特許文献１参照）。
【０００５】
図５は、箱形カットアウトの構成を示す図であり、図５（Ａ）は、蓋体を閉じた状態を示す箱形カットアウトの側面図、図５（Ｂ）は、蓋体を開いた状態を示す箱形カットアウトの側面図、図５（Ｃ）は、蓋体を開いた状態を示す箱形カットアウトの斜視図である。又、図６は、従来技術による箱形カットアウト用の課電端子アダプタの構成を示す正面図である。図７は、従来技術による箱形カットアウト用の課電端子アダプタの使用例を示す正面図であり、課電端子アダプタを箱形カットアウトに接続した状態図である。
【０００６】
なお、本願の図５は、特許文献１の図４に相当し、本願の図６は、特許文献１の図４に相当している。又、本願の図７は、特許文献１の図６に相当している。
【０００７】
図５を参照すると、箱形カットアウト４は、箱状の本体４１と平板状の蓋体４２を備えている。本体４１は、箱状に形成された碍子でその外殻を構成している。蓋体４２は、碍子でその外殻を構成している。又、蓋体４２は、その下端部をピン４１ａで本体４１と回動自在に連結している。箱形カットアウト４は、支持金具４３を利用して、電柱に固定され、水平状態に配置された腕金Ａに配置できる（図７参照）。
【０００８】
図５を参照して、蓋体４２を一方の方向に回動すると、本体４１の開口を閉じることができる。蓋体４２を他方の方向に回動すると、本体４１の開口を開放できる。蓋体４２の上端部には、把持部４２ａを有している。フック工具を先端部に有する図示しない絶縁操作棒（ホットスティック）を把持部４２ａに係合して、高所に配置された箱形カットアウト４の蓋体４２を開閉できる。
【０００９】
図５に示すように、本体４１は、第１接続端子４１１と第２接続端子４１２を内部に配置している。第１接続端子４１１及び第２接続端子４１２は、それらの中央にスリットを形成している。第１接続端子４１１は、外部に延出した一次側電線ｗ１と電気的に接続している。第２接続端子４１２は、外部に延出した二次側電線ｗ２と電気的に接続している。蓋体４２は、ヒューズ筒４ｆを内部に装着している。
【００１０】
図５を参照して、蓋体４２を閉じると、ヒューズ筒４ｆに設けた第１接触刃４１ｃを第１接続端子４１１のスリットに挿入でき、一次側電線ｗ１に接続できる。又、蓋体４２を閉じると、ヒューズ筒４ｆに設けた第２接触刃４２ｃを第２接続端子４１２のスリットに挿入でき、二次側電線ｗ２に接続できる。
【００１１】
図５を参照して、一次側電線ｗ１は、配電線を介して商用電源（図示せず）に接続している。二次側電線ｗ２は、変圧器を介して負荷装置（図示せず）に接続している。そして、ヒューズ筒４ｆを介して、商用電源と負荷装置が電気的に接続されている。
【００１２】
図５に示した箱形カットアウト４は、ヒューズ筒４ｆの内部でヒューズ切れが発生すると、ヒューズ筒４ｆを構成する図示しない移動筒が蓋体４２から突出するように構成している。したがって、高所に配置された箱形カットアウト４のヒューズ切れを容易に確認できる。
【００１３】
図６又は図７を参照すると、課電端子８は、棒状に構成している。課電端子８は、箱形カットアウト４用の課電端子アダプタ（以下、アダプタと略称する）５を先端部に着脱自在としている。
【００１４】
図６を参照すると、アダプタ５は、帯状に延びる連結板５０と一対の端子板５１・５１で構成している。連結板５０及び一対の端子板５１・５１は、導電性を有する、例えば銅合金板で構成している。一対の端子板５１・５１は、連結板５０の両端部から連結板５０が延びる方向と直交する方向に延びている。又、一対の端子板５１・５１は、箱形カットアウト４に設けた第１接続端子４１１及び第２接続端子４１２に電気的に接続できる。
【００１５】
図６を参照すると、課電端子８は、導電性を有する円柱状の第１接続金具８１、円筒状の第２接続金具８２、及び、絶縁性を有する長尺の絶縁パイプ８３を備えている。第１接続金具８１は、課電端子８の先端部に配置されている。第１接続金具８１は、雌ねじ部８１ｆを中心部に形成している。一方、アダプタ５は、雌ねじ部８１ｆと螺合できる雄ねじ部５ｍを連結板５０の底部から突出している。これにより、課電端子８は、アダプタ５を着脱自在に接続できる。
【００１６】
図６を参照すると、第２接続金具８２は、課電端子８の基端部に配置されている。第２接続金具８２は、一対のＴ字状の係合溝８２ｔ・８２ｔを底面から切り欠いている。図７を参照すると、絶縁操作棒９は、一対の係合溝８２ｔ・８２ｔに嵌合可能な一対の突起（図示せず）を先端部に備えている。
【００１７】
図７に示した絶縁操作棒９は、用途の異なる先端工具を共用できることから、「共用操作棒」と呼ばれている。又、第２接続金具８２には、絶縁操作棒９の先端部を捩って接続することから、「ツイストロック」と呼ばれている。
【００１８】
図７を参照して、絶縁操作棒９の先端部に課電端子８を接続すると共に、課電端子８にアダプタ５を接続しておくことで、高所に配置された箱形カットアウト４にアダプタ５を接続できる。
【００１９】
図６又は図７を参照すると、課電端子８は、電気ケーブル８ｃを更に備えている。電気ケーブル８ｃの一方の端末は、絶縁パイプ８３の内部を挿通して、第１接続金具８１に電気的に接続している。電気ケーブル８ｃの他方の端末は、絶縁パイプ８３の基端部から延出しており、図示しない探査測定器に接続できる。
【００２０】
図７に示した状態から、図示しない探査測定器側から、電気ケーブル８ｃに探査信号となる直流電流を印加することで、アダプタ５を介して第１接続端子４１１及び第２接続端子４１２に探査信号が流れ、事故点を探索できる。
【００２１】
又、探査測定器に設けた課電端子からヒューズ筒の接続端子に探査信号となる直流電流を印加して、事故点を探索するために、筒形カットアウトに接続できる課電端子アダプタが開示されている（例えば、特許文献２参照）。
【先行技術文献】
【特許文献】
【００２２】
【特許文献１】特開２０１０−１７６９５４号公報
【特許文献２】特開２００６−１１４２３１号公報
【発明の概要】
【発明が解決しようとする課題】
【００２３】
図８は、筒形カットアウトの構成を示す縦断面図である。図９は、筒形カットアウト用の課電端子アダプタの構成を示す図であり、図９（Ａ）は、課電端子アダプタを筒形カットアウトに装着した状態で示す縦断面図、図９（Ｂ）は、筒形カットアウト用の課電端子アダプタの正面図である。
【００２４】
なお、本願の図８は、特許文献２の図１５に相当し、本願の図９は、特許文献２の図１７に相当している。
【００２５】
図８又は図９（Ａ）を参照すると、筒形カットアウト６は、円筒状の本体６１と円盤状の蓋体６２を備えている。本体６１は、略円形の開口６１１を底部に設けている。ヒューズ筒６ｆは、開口６１１から挿入でき、本体６１の内部に装着されている（図８参照）。
【００２６】
図８を参照すると、本体６１は、その略外殻を構成する円筒状の碍子６１ａを有している。本体６１は、碍子６１ａの頂部を被覆する絶縁キャップ６１ｂを有している。そして、本体６１は、絶縁キャップ６１ｂを介して、一次側電線ｗ１を外部に延出している。一次側電線ｗ１は、商用電源（図示せず）に接続している。又、一次側電線ｗ１は、第１接続端子となる第１電極ｅ１を端末に設けている。第１電極ｅ１は、ヒューズ筒６ｆの上部に接触（導通）している。
【００２７】
図８を参照すると、本体６１は、碍子６１ａの底部側の外周から突出する絶縁キャップ６１ｃを有している。そして、本体６１は、絶縁キャップ６１ｃを介して二次側電線ｗ２を外部に延出している。二次側電線ｗ２は、負荷装置（図示せず）に接続している。又、二次側電線ｗ２は、第２接続端子となる第２電極ｅ２を端末に設けている。第２電極ｅ２は、ヒューズ筒６ｆの下方の外周に接触（導通）している。そして、ヒューズ筒６ｆを介して、商用電源と負荷装置が電気的に接続されている。
【００２８】
図８又は図９（Ａ）を参照すると、碍子６１ａの底部には、はかま部材６１ｄを固定している。はかま部材６１ｄには、前述した開口６１１を設けている。筒形カットアウト６は、蓋体６２を開口６１１に取り付けて、開口６１１を閉止できる。
【００２９】
図８に示した筒形カットアウト６は、ヒューズ筒６ｆの内部でヒューズ切れが発生すると、ヒューズ筒６ｆを構成する図示しない移動筒が突出して、蓋体６２が外れるように構成している。したがって、高所に配置された筒形カットアウト６のヒューズ切れを容易に確認できる。蓋体６２は、はかま部材６１ｄを図示しない吊り紐で係留しているので、蓋体６２の落下又は紛失を防止できる。
【００３０】
図８に示した筒形カットアウト６に、探査信号となる直流電流を印加する場合には、筒形カットアウト６からヒューズ筒６ｆを取り外し、図９（Ｂ）に示すように、導電性を有する棒状のアダプタ７を課電端子８の先端部に取り付けて、課電端子８の先端部側と共に、アダプタ７を筒形カットアウト６の内部に装着する（図９（Ａ）参照）。
【００３１】
図９（Ａ）を参照すると、課電端子８の先端部に設けた第１接続金具８１は、第２電極ｅ２に接触している。又、アダプタ７の先端部は、第１電極ｅ１に接触している。
図９（Ａ）に示した状態から、図示しない探査測定器側から、課電端子８に探査信号となる直流電流を印加することで、アダプタ７及び課電端子８を介して、第１電極ｅ１及び第２電極ｅ２に探査信号が流れ、事故点を探索できる。
【００３２】
図９（Ｂ）を参照すると、アダプタ７は、雄ねじ部７ｍを基端部に形成している。雄ねじ部７ｍは、第１接続金具８１に設けた雌ねじ部８１ｆと螺合できる（図６参照）。これにより、課電端子８は、アダプタ７を着脱自在に接続できる。
【００３３】
なお、図９（Ａ）に示した課電端子８には、絶縁操作棒９を接続できる（図７参照）。このように、絶縁操作棒９の先端部に課電端子８を接続すると共に、課電端子８にアダプタ７を接続しておくことで、高所に配置された筒形カットアウト６にアダプタ７を接続できる。
【００３４】
上述したように、箱形カットアウト４と筒形カットアウト６とでは、課電端子８の先端部に取り付ける課電端子アダプタの形状が異なっている。このため、事故点を探査するために、現場のカットアウトに適合した課電端子アダプタを課電端子８に取り付けるが、課電端子アダプタを付け間違えることがある。又、現場に着くまで、カットアウトの形状が不明のため、現場のカットアウトに適合した課電端子アダプタを用意することを忘れることがある。
【００３５】
以上のことから、カットアウトに探査信号を課電して配電線の事故点を探査するために、課電端子の先端部に接続する課電端子アダプタであって、箱形カットアウトと筒形カットアウトを共用できる課電端子アダプタが求められていた。そして、以上のことが本発明の課題といってよい。
【００３６】
本発明は、このような課題に鑑みてなされたものであり、カットアウトに探査信号を課電して配電線の事故点を探査するために、課電端子の先端部に接続する課電端子アダプタであって、箱形カットアウトと筒形カットアウトを共用できる課電端子アダプタを提供することを目的とする。
【課題を解決するための手段】
【００３７】
本発明者は、一対の導電刃が突出した形態と、一対の導電ケースが円筒状の形態に変化できるように課電端子アダプタを構成することで、この課電端子アダプタが箱形カットアウトと筒形カットアウトを共用できると考え、これに基づいて、以下のような新たな課電端子アダプタを発明するに至った。
【００３８】
（１）本発明による課電端子アダプタは、箱形カットアウト、又は筒形カットアウトに探査信号を課電して配電線の事故点を探査するために、課電端子の先端部に接続する課電端子アダプタであって、前記課電端子の先端部と着脱自在な円柱状の接続金具と、この接続金具の外周と一端部が回転自在に連結し、一端部と反対側の他端部を開閉自在に構成した一対の半円筒状の導電ケースと、これらの導電ケースの内部に収納され、一対の前記導電ケースの底部から起伏自在に配置された一対の帯板状の導電刃と、を備え、一対の前記導電ケースを１８０度開いた状態では、所定の間隔を設けて、一対の前記導電刃を起立させることで、一対の前記導電刃を前記箱形カットアウトに設けた第１接続端子及び第２接続端子に接続でき、一対の前記導電ケースを閉じて円筒状になった状態では、一対の前記導電ケースの他端部を前記筒形カットアウトに設けた第１電極に接続できると共に、前記課電端子の先端部を前記筒形カットアウトに設けた第２電極に接続できる。
【００３９】
（２）前記導電刃は、球状部を基端部に備え、前記導電ケースは、前記球状部を揺動自在に保持する保持室を有する半月体状のブロック体を底部に備えることが好ましい。
【００４０】
（３）一方の前記導電ケースは、他方の前記導電ケースに向かって突出する板状の施錠片を他端部に有し、他方の前記導電ケースは、前記施錠片を導入すると共に、当該施錠片を挟持するスリット開口を有することが好ましい。
【発明の効果】
【００４１】
本発明による課電端子アダプタは、課電端子の先端部と着脱自在な接続金具と、接続金具の外周と一端部が回転自在に連結し、他端部を開閉自在に構成した一対の導電ケースと、導電ケースの内部に収納され、一対の導電ケースの底部から起伏自在に配置された一対導電刃と、を備え、一対の導電ケースを１８０度開いた状態では、一対の導電刃を起立させることで、箱形カットアウトに接続でき、一対の導電ケースを閉じて円筒状になった状態では、筒形カットアウトに接続できる。本発明による課電端子アダプタは、箱形カットアウトと筒形カットアウトに共用できるので便利である。
【図面の簡単な説明】
【００４２】
【図１】本発明の一実施形態による課電端子アダプタの構成を示す図であり、図１（Ａ）は、一対の導電ケースを閉じた状態で示す課電端子アダプタの平面図、図１（Ｂ）は、一対の導電ケースを閉じた状態で示す課電端子アダプタの正面図、図１（Ｃ）は、図１（Ａ）のＡ−Ａ矢視断面図、図１（Ｄ）は、図１（Ｂ）のＢ−Ｂ矢視断面図である。
【図２】前記実施形態による課電端子アダプタの構成を示す縦断面図であり、一対の導電ケースを１８０度開いた状態図である。
【図３】前記実施形態による課電端子アダプタの構成を示す斜視図であり、一対の導電ケースを１８０度開いた状態図である。
【図４】前記実施形態による課電端子アダプタの構成を示す斜視図であり、一方の導電ケースに対して他方の導電ケースを９０度開いた状態図である。
【図５】箱形カットアウトの構成を示す図であり、図５（Ａ）は、蓋体を閉じた状態を示す箱形カットアウトの側面図、図５（Ｂ）は、蓋体を開いた状態を示す箱形カットアウトの側面図、図５（Ｃ）は、蓋体を開いた状態を示す箱形カットアウトの斜視図である。
【図６】従来技術による箱形カットアウト用の課電端子アダプタの構成を示す正面図である。
【図７】従来技術による箱形カットアウト用の課電端子アダプタの使用例を示す正面図であり、課電端子アダプタを箱形カットアウトに接続した状態図である。
【図８】筒形カットアウトの構成を示す縦断面図である。
【図９】筒形カットアウト用の課電端子アダプタの構成を示す図であり、図９（Ａ）は、課電端子アダプタを筒形カットアウトに装着した状態で示す縦断面図、図９（Ｂ）は、筒形カットアウト用の課電端子アダプタの正面図である。
【発明を実施するための形態】
【００４３】
以下、図面を参照して本発明を実施するための形態を説明する。
［間接活線工事用アダプタの構成］
最初に、本発明の一実施形態による課電端子アダプタの構成を説明する。
【００４４】
図１は、本発明の一実施形態による課電端子アダプタの構成を示す図であり、図１（Ａ）は、一対の導電ケースを閉じた状態で示す課電端子アダプタの平面図、図１（Ｂ）は、一対の導電ケースを閉じた状態で示す課電端子アダプタの正面図、図１（Ｃ）は、図１（Ａ）のＡ−Ａ矢視断面図、図１（Ｄ）は、図１（Ｂ）のＢ−Ｂ矢視断面図である。
【００４５】
図２は、前記実施形態による課電端子アダプタの構成を示す縦断面図であり、一対の導電ケースを１８０度開いた状態図である。
【００４６】
図３は、前記実施形態による課電端子アダプタの構成を示す斜視図であり、一対の導電ケースを１８０度開いた状態図である。
【００４７】
図４は、前記実施形態による課電端子アダプタの構成を示す斜視図であり、一方の導電ケースに対して他方の導電ケースを９０度開いた状態図である。なお、従来技術で使用した符号と同じ符号を有する構成品は、その作用を同じとするので、以下説明を省略することがある。
【００４８】
（全体構成）
次に、本発明の一実施形態による課電端子アダプタの全体構成を説明する。図１から図４を参照すると、本発明の一実施形態による課電端子アダプタ（以下、アダプタと略称する）１０は、円柱状の接続金具１１、一対の半円筒状の導電ケース１２・１２、及び、一対の帯板状の導電刃１３・１３を備えている。
【００４９】
図１から図４を参照すると、接続金具１１は、雄ねじ部１１ｍを基端部に形成している。雄ねじ部１１ｍは、第１接続金具８１に設けた雌ねじ部８１ｆと螺合できる（図６参照）。これにより、課電端子８は、接続金具１１を着脱自在に接続できる。
【００５０】
図１又は図２及び図４を参照すると、導電ケース１２・１２は、それらの一端部を接続金具１１の外周と回転自在に連結している。具体的には、一対の導電ケース１２・１２の一端部は、連結ピン１１ｐで接続金具１１に連結している。そして、一対の導電ケース１２・１２は、一端部と反対側の他端部を開閉自在に構成している。
【００５１】
図１を参照して、一対の導電刃１３・１３は、雌伏するように、一対の導電ケース１２・１２の内部に収納されている。図２又は図３に示すように、一対の導電刃１３・１３は、所定の間隔を設けて、一対の導電ケース１２・１２の底部から起立するように、配置することもできる。つまり、一対の導電ケース１２・１２は、一対の導電ケース１２・１２の底部から起伏自在に配置されている。
【００５２】
図２又は図３を参照して、一対の導電ケース１２・１２を１８０度開いた状態では、所定の間隔を設けて、一対の導電刃１３・１３を起立させることで、アダプタ１０を課電端子８の先端部に接続して、一対の導電刃１３・１３を箱形カットアウト４に設けた第１接続端子４１１及び第２接続端子４１２に接続できる（図５（Ｃ）参照）。
【００５３】
一方、図１を参照して、一対の導電ケース１２・１２を閉じて円筒状になった状態では、アダプタ１０を課電端子８の先端部に接続して、一対の導電ケース１２・１２の他端部を筒形カットアウト６に設けた第１電極ｅ１に接続できると共に、課電端子８の第１接続金具８１を筒形カットアウト６に設けた第２電極ｅ２に接続できる（図８又は図９（Ａ）参照）。
【００５４】
（一対の導電ケースの構成）
次に、一対の導電ケース１２・１２の構成を説明する。図１から図４を参照して、導電ケース１２は、導電性を有する銅合金などで構成することが好ましく、半円筒状に形成すると共に、一端縁を開放し、他端縁を閉塞している。
【００５５】
図１から図４を参照すると、一対の導電ケース１２・１２は、一組の半月体状のブロック体１２１・１２１を底部に備えている。ブロック体１２１は、溶接などの固定手段を用いて、導電ケース１２の底面に固定されている。
【００５６】
図１（Ｃ）を参照すると、一対の導電ケース１２・１２を閉じた状態では、これらのブロック体１２１・１２１は、対向配置されている。一方、図２又は図３を参照すると、一対の導電ケース１２・１２を開いた状態では、一対のブロック体１２１・１２１は、所定の間隔を設けて配置されている。
【００５７】
図１（Ｄ）又は図４を参照すると、ブロック体１２１は、保持室１２ｒを有している。保持室１２ｒには、導電刃１３の基端部に形成した球状部１３ｓを揺動自在に保持できる（図１（Ｃ）又は図２参照）。
【００５８】
図１から図４を参照すると、一方の導電ケース１２は、半月体状のブロック体１２２を他端部に備えている。ブロック体１２２は、溶接などの固定手段を用いて、一方の導電ケース１２の他端部の底面に固定されている。ブロック体１２２は、他方の導電ケース１２に向かって、板状の施錠片１２ｂを突出している。
【００５９】
一方、図１から図３を参照すると、他方の導電ケース１２は、半月体状のブロック体１２３を他端部に備えている。ブロック体１２３は、溶接などの固定手段を用いて、他方の導電ケース１２の他端部の底面に固定されている。ブロック体１２３は、施錠片１２ｂを導入すると共に、施錠片１２ｂを挟持するスリット開口１２ｋを開口している。
【００６０】
図１（Ｃ）又は図（Ｄ）を参照して、ブロック体１２３に設けたスリット開口１２ｋに施錠片１２ｂを挿入することで、一対の導電ケース１２・１２が容易に開かないようにできる。つまり、一対の導電ケース１２・１２をロックできる。一対の導電ケース１２・１２の他端部側を把持して互いに引き離すことで、一対の導電ケース１２・１２を１８０度に開くことができる（図２又は図３参照）。
【００６１】
（一対の導電刃の構成）
次に、一対の導電刃１３・１３の構成を説明する。図１（Ｃ）又は図２を参照すると、導電刃１３は、軸部１３ｄを基端部から突出している。軸部１３ｄは、その先端部に球状部１３ｓを形成している。一方、図１（Ｄ）又は図４を参照すると、ブロック体１２１は、球状部１３ｓを揺動自在に保持する保持室１２ｒを有している。又、ブロック体１２１は、保持室１２ｒに連通すると共に、軸部１３ｄを案内する溝部１２ｄを設けている。
【００６２】
導電刃１３と導電ケース１２は、上述したように連結しているので、図１（Ｃ）に示すように、一対の導電ケース１２・１２を閉じた状態では、一対の導電刃１３・１３の面が対向するように、一対の導電刃１３・１３を一対の導電ケース１２・１２の内部に収納できる。
【００６３】
一方、図１（Ｃ）に示した状態から、一対の導電ケース１２・１２を１８０度に開いた後に、一対の導電刃１３・１３を起立し、更に、一対の導電刃１３・１３を９０度反転することで、図２又は図３に示すように、一対の導電刃１３・１３の板厚面が対向するように配置できる。そして、一対の導電刃１３・１３を箱形カットアウト４に接続できる（図５参照）。
【００６４】
［課電端子アダプタの作用］
次に、実施形態によるアダプタ１０の操作方法を説明しながら、アダプタ１０の作用及び効果を説明する。
【００６５】
図８を参照して、電柱に固定した腕金Ａに筒形カットアウト６が支持されていた場合は、接続金具１１を課電端子８の先端部に接続すると共に（図７参照）、図１に示すように、一対の導電ケース１２・１２を閉じておくことで、アダプタ１０を筒形カットアウト６の内部に進入できる。そして、一対の導電ケース１２・１２の他端部を筒形カットアウト６に設けた第１電極ｅ１に接続できると共に、課電端子８の先端部を筒形カットアウト６に設けた第２電極ｅ２に接続できるので（図８又は図９（Ａ）参照）、事故点を探索できる。
【００６６】
一方、図７を参照して、電柱に固定した腕金Ａに箱形カットアウト４が支持されていた場合は、接続金具１１を課電端子８の先端部に接続すると共に（図７参照）、図２又は図３に示すように、一対の導電ケース１２・１２を１８０度開いた後に、所定の間隔を設けて、一対の導電刃１３・１３を起立させることで、アダプタ１０を課電端子８の先端部に接続して、一対の導電刃１３・１３を箱形カットアウト４に設けた第１接続端子４１１及び第２接続端子４１２に接続できるので（図５（Ｃ）参照）、事故点を探索できる。
【００６７】
このように、実施形態によるアダプタ１０は、カットアウトに探査信号を課電して配電線の事故点を探査するために、課電端子８の先端部に接続するアダプタ１０であって、箱形カットアウト４と筒形カットアウト６に共用できる。
【００６８】
本発明による課電端子アダプタは、次のような効果が奏される。
（１）現場のカットアウトに対応した課電端子アダプタの付け替えが不要になる。
（２）現場のカットアウトに適合した課電端子アダプタを用意できる。
（３）現場に到着後、速やかにカットアウトに接続できる。
（４）絶縁操作棒を用いた間接活線工事が可能である。
【００６９】
本発明は、箱形カットアウト４と筒形カットアウト６に共用できる事故点探査用の課電端子アダプタを開示したが、本発明の課電端子アダプタは、配電線を接地する接地短絡器具として応用することが期待される。
【符号の説明】
【００７０】
４  箱形カットアウト
６  筒形カットアウト
８  課電端子
１０  アダプタ（課電端子アダプタ）
１１  接続金具
１２・１２  一対の導電ケース
１３・１３  一対の導電刃
４１１  第１接続端子
４１２  第２接続端子
ｅ１  第１電極
ｅ２  第２電極
【図１】
2017032463.tif 000003
【図２】
2017032463.tif 000004
【図３】
2017032463.tif 000005
【図４】
2017032463.tif 000006
【図５】
2017032463.tif 000007
【図６】
2017032463.tif 000008
【図７】
2017032463.tif 000009
【図８】
2017032463.tif 000010
【図９】
2017032463.tif 000011